【事件の表示】
　商願２０００−　９５９１９拒絶査定不服審判事件について、次のとおり審決する。
【結　論】
　原査定を取り消す。
　本願商標は、登録すべきものとする。
【理　由】
１．本願商標
　本願商標は、「イーボス」の片仮名文字と「ｅ−ｂｏｓｓ」の欧文字とを二段に併記してなり、第１６類、第３５類、第３６類、第３９類、第４１類及び第４２類の願書に記載のとおりの商品及び役務を指定商品又は指定役務として、平成１２年８月３１日に登録出願されたものである。その後指定商品又は指定役務については、平成１３年９月２５日及び平成１４年３月４日付手続補正書のとおりに補正されているものである。
　
２．引用商標
　原査定において、本願商標の拒絶の理由に引用した（１）登録第６５９６２６号商標は、「ＢＯＳＳ」の欧文字を横書きしてなり、昭和３８年７月２３日登録出願、第２５類の商標登録原簿に記載のとおりの商品を指定商品として昭和３９年１１月２８日に設定登録されたものである。（２）登録第６６１９６４号商標は「ＢＯＳＳ」の欧文字を横書きしてなり、昭和３８年７月２３日登録出願、第９類の商標登録原簿に記載のとおりの商品を指定商品として昭和３９年１２月２８日に設定登録されたものである。（３）登録第６８０９１４号商標は、「ＢＯＳＳ」の欧文字を横書きしてなり、昭和３８年７月２３日登録出願、第２６類の商標登録原簿に記載のとおりの商品を指定商品として昭和４０年７月１４日に設定登録されたものである。（４）登録第６９５８６５号商標は「ＢＯＳＳ」の欧文字を横書きしてなり、昭和３９年３月２８日登録出願、第１７類の商標登録原簿に記載のとおりの商品を指定商品として昭和４１年１月２２日に設定登録されたものである。（５）登録第１７５５０３１号商標は、「ＢＯＳＳ」の欧文字を横書きしてなり、昭和５６年９月３日登録出願、第１３類の商標登録原簿に記載のとおりの商品を指定商品として昭和６０年３月２５日に設定登録されたものである。（６）登録第１９０３２２７号商標は「ＢＯＳＳ」の欧文字を横書きしてなり、昭和５９年６月６日登録出願、第１９類の商標登録原簿に記載のとおりの商品を指定商品として昭和６１年１０月２８日に設定登録されたものである。（７）登録第１９０３５６３号商標は、「ＢＯＳＳ」の欧文字を横書きしてなり、昭和５９年６月６日登録出願、第９類の商標登録原簿に記載のとおりの商品を指定商品として昭和６１年１０月２８日に設定登録されたものである。（８）登録第１９２３２７４号商標は、「ＢＯＳＳＰＬＵＳ」（「ＰＬＵＳ」の文字部分は白抜きで小さく書されている）の欧文字を横書きしてなり、昭和５９年６月１６日登録出願、第９類の商標登録原簿に記載のとおりの商品を指定商品として昭和６１年１２月２４日に設定登録されたものである。（９）登録第１９４３８０９号商標は「ＢＯＳＳＰＬＵＳ」（「ＰＬＵＳ」の文字部分は白抜きで小さく書されている）の欧文字を横書きしてなり、昭和５９年６月１６日登録出願、第２５類の商標登録原簿に記載のとおりの商品を指定商品として昭和６２年３月２７日に設定登録されたものである。（１０）登録第１９７０１２２号商標は、「ＢＯＳＳ」の欧文字を横書きしてなり、昭和５９年６月６日登録出願、第１３類の商標登録原簿に記載のとおりの商品を指定商品として昭和６２年７月２３日に設定登録されたものである。（１１）登録第１９８７７１９号商標は「ＢＯＳＳ」の欧文字を横書きしてなり、昭和５９年６月６日登録出願、第２５類の商標登録原簿に記載のとおりの商品を指定商品として昭和６２年９月２１日に設定登録されたものである。（１２）登録第２０３２２７７号商標は「ＢＯＳＳＰＬＵＳ」（「ＰＬＵＳ」の文字部分は白抜きで小さく書されている）の欧文字を横書きしてなり、昭和５９年６月１６日登録出願、第１３類の商標登録原簿に記載のとおりの商品を指定商品として昭和６３年３月３０日に設定登録されたものである。（１３）登録第２０４５２１０号商標は「ＢＯＳＳ」の欧文字を横書きしてなり、昭和５９年６月６日登録出願、第２０類の商標登録原簿に記載のとおりの商品を指定商品として昭和６３年５月２６日に設定登録されたものである。（１４）登録第２１９７８４５号商標は「ＢＯＳＳ」の欧文字を横書きしてなり、１９８６年１１月１２日ドイツ連邦共和国においてした商標登録出願に基づきパリ条約第４条による優先権を主張して、昭和６２年３月１７日登録出願、第２４類の商標登録原簿に記載のとおりの商品を指定商品として平成１年１２月２５日に設定登録されたものである。（１５）登録第２２０７９９９号商標は「ＢＯＳＳＰＬＵＳ」（「ＰＬＵＳ」の文字部分は白抜きで小さく書されている）の欧文字を横書きしてなり、昭和５９年６月１６日登録出願、第２０類の商標登録原簿に記載のとおりの商品を指定商品として平成２年１月３０日に設定登録されたものである。（１６）登録第２５１２７８８号商標は「ボス」の片仮名文字を横書きしてなり、昭和６３年６月４日登録出願、第１類の商標登録原簿に記載のとおりの商品を指定商品として平成５年３月３１日に設定登録されたものであり、その後指定商品の書換登録の申請がなされ第５類「薬剤」とし平成１５年５月２１日に書換登録されたものである。（１７）登録第２６８６２１６号商標は「ＢＯＳＳ」と「ＨＵＧＯ　ＢＯＳＳ」の欧文字を二段に併記してなり、平成４年３月３１日登録出願、第１７類の商標登録原簿に記載のとおりの商品を指定商品として平成６年７月２９日に設定登録されたものである。（１８）登録第３０４８２０３号商標は「ＢＯＳＳ−２４」の文字及び数字を横書きしてなり、特例商標として平成４年９月１６日登録出願、第３６類商標登録原簿に記載のとおりの役務を指定役務として平成７年６月３０日に設定登録されたものである。（１９）登録第３１０７１０５号商標は「ＢＯＳＳ」の欧文字を横書きしてなり、平成４年９月２８日登録出願、第４２類の商標登録原簿に記載のとおりの役務を指定役務として平成７年１２月２６日に設定登録されたものである。（２０）登録第３１１６３８９号商標は「ＢＯＳＳ−２４」の文字及び数字を横書きしてなり、特例商標として平成４年９月１６日登録出願、第４２類の商標登録原簿に記載のとおりの役務を指定役務として平成８年１月３１日に設定登録されたものである。（２１）登録第３１３３０２３号商標は「ＢＯＳＳ」の欧文字を横書きしてなり、特例商標として平成４年９月２９日登録出願、第３５類の商標登録原簿に記載のとおりの役務を指定役務として平成８年３月２９日に設定登録されたものである。（２２）登録第３１７２４７５号商標は「ＢＯＳＳ」「ＢＹ」及び「ＪＯ　ＮＡＧＡＨＡＲＡ」の欧文字を三段に併記してなり、平成４年９月１７日登録出願、第４２類の商標登録原簿に記載のとおりの役務を指定役務として平成８年６月２８日に設定登録されたものである。（２３）登録第３２１８４０５号商標は「ＢＯＳＳ」の欧文字を横書きしてなり、平成４年９月２３日登録出願、第４２類の商標登録原簿に記載のとおりの役務を指定役務として平成８年１１月２９日に設定登録されたものである。（２４）登録第３３６３７２４号商標は「ＢＯＳＳ」と「ＨＵＧＯ　ＢＯＳＳ」の欧文字を二段に併記してなり、平成５年２月２６日登録出願、第４２類の商標登録原簿に記載のとおりの役務を指定役務として平成９年１１月２８日に設定登録されたものである。（２５）登録第３３７１０７３号商標はやや図案化されてなる「ＢＯＳＳ」の欧文字を横書きしてなり、平成７年４月２１日登録出願、第１６類の商標登録原簿に記載のとおりの商品を指定商品として平成１１年１月２２日に設定登録されたものである。（２６）登録第４０５４８９６号商標は「ＢＯＳＳ」の欧文字を横書きしてなり、平成６年１月３１日登録出願、第４１類の商標登録原簿に記載のとおりの役務を指定役務として平成９年９月１２日に設定登録されたものである。（２７）登録第４１８７７６０号商標は「ＳＥＬＥＣＴ」「ＢＯＳＳ」「ＨＵＧＯ　ＢＯＳＳ」及び「ＬＩＮＥ」の欧文字を四段に併記してなり、平成９年６月６日登録出願、第２５類の商標登録原簿に記載のとおりの商品を指定商品として平成１０年９月１１日に設定登録されたものである。（２８）登録第４２２９６６３号商標は「ＢＯＳＳ」の欧文字を横書きしてなり、平成８年１０月１６日登録出願、第４２類の商標登録原簿に記載のとおりの役務を指定役務として平成１１年１月１４日に設定登録されたものである。（２９）登録第４５７２３４１号商標は「ＢＯＳＳ」の欧文字を標準文字で書してなり、平成１２年１月２７日登録出願、第３６類、第３７類及び第４２類に属する商標登録原簿に記載のとおりの役務を指定役務として平成１４年５月３１日に設定登録されたものである。（３０）登録第４５７２３４２号商標は「ＢＯＳＳ−２４」の文字及び数字を標準文字で書してなり、平成１２年１月２７日登録出願、第３６類、第３７類及び第４２類に属する商標登録原簿に記載のとおりの役務を指定役務として平成１４年５月３１日に設定登録されたものである。（３１）登録第４５４７７１５号商標は「ＢＯＳＳ」の欧文字を標準文字で書してなり、平成１２年７月３１日登録出願、第９類の商標登録原簿に記載のとおりの商品を指定商品として平成１４年３月１日に設定登録されたものである。（３２）国際登録第４５６０９２号商標は「ＢＯＳＳ」の欧文字を横書きしてなり、第２５類の原簿記載のとおりの商品を指定商品として２０００年（平成１２年）５月１３日に事後指定され、そして、我が国において平成１３年３月２日に設定登録されたものである。（３３）国際登録第７４６９７２号商標は「ＢＯＳＳ　ＷＯＭＡＮ」の欧文字を横書きしてなり、２０００年７月１９日ドイツ連邦共和国においてした商標登録出願に基づくパリ条約第４条の優先権を主張して、第９類、第１８類及び第２５類の原簿記載のとおりの商品を指定商品として２０００年(平成１２年)１０月２７日に国際登録され、我が国において平成１４年１月１１日に設定登録されたものである。
（以下（１）ないし（３３）の各商標を「引用各商標」という。）
　そして、引用各商標は、現に有効に存続しているものである。
　
３　当審の判断
　本願商標は「イーボス」と「ｅ−ｂｏｓｓ」の文字を二段に併記した構成よりなるところ、各文字の前半の「イー」及び「ｅ」（「ｅ」にはハイフンが伴う。）の文字と後半の「ボス」及び「ｂｏｓｓ」の文字とは外観上まとまりよく一体に構成されているものである。
　また、構成中の片仮名文字部分は、欧文字部分の称呼を特定しているものと無理なく判断されるものであって、これより生じると認められる「イーボス」の称呼も格別冗長というべきでものでなく、よどみなく一連に称呼し得るものであり、他に構成中の「ボス」及び「ｂｏｓｓ」の文字部分のみが独立して認識されるとみるべき特段の事情は見出せない。
　そうとすれば、本願商標は、その構成文字に相応して「イーボス」の称呼のみを生ずるものと判断するのが相当である。
　他方、引用各商標は前記したとおりの構成よりなるところ、構成中の「ボス」及び「ＢＯＳＳ」の文字部分よりは、「ボス」の称呼を生じるものと認められる。
　そこで、本願商標より生ずる「イーボス」の称呼と引用各商標より生ずる「ボス」の称呼とを比較するに、両者は３音と２音という音構成の差異に加えて称呼の聴別上最も重要な語頭音において「イー」の音の有無という顕著な差異を有するから、両者は称呼上明確に区別し得るものである。
　また、本願商標は、特定の観念を生じ得ない一連の造語と判断されるものであるから、両者は観念上比較し得ないものであり、さらに、外観上もそれぞれの構成よりみて十分に区別し得るものである。
　してみれば、本願商標と引用各商標とは、その称呼・観念及び外観のいずれの点よりみても十分に区別し得る商標であるといわなければならない。
　したがって、本願商標が商標法第４条第１項第１１号に該当するとして本願を拒絶した原査定は、妥当でなく取り消しを免れない。
　その他、政令で定める期間内に本願について拒絶の理由を発見しない。
　よって、結論のとおり審決する。